(57)【特許請求の範囲】
【請求項１】
ガラスから形成された容器(2) の外面に、文字や絵柄が印刷された熱収縮フィルムからなり且つ収縮率の高い方向が容器(2) の周方向である熱収縮ラベル(4) が装着され、且つ容器(2) 内部を減圧状態にして密封されている熱収縮ラベル装着容器において、熱収縮ラベル(4) の少なくとも前記容器(2) の最大径部分付近の外面に位置する部分に、線状の切れ目の線の方向が容器(2) の周方向と一致するミシン目(6) が多数設けられたことを特徴とする熱収縮ラベル装着容器。
【発明の詳細な説明】
【０００１】
【産業上の利用分野】
本発明は、例えば食品、飲料等が減圧状態下で充填されたガラス容器に熱収縮ラベルが装着された熱収縮ラベル装着容器の改良に関する。
【０００２】
【従来の技術】
従来、食品や飲料等用の容器の中で、使用前に悪戯等によって開封された場合に開封されたことが容易に目視できるようにするため、ガラス製の容器本体の内部に被充填物を９０乃至９５°Ｃの高温で充填した状態で上面に薄肉部が形成されたキャップをキャッピングし、その後被充填物を冷却することにより減圧状態にして密封された容器がある。
【０００３】
このように減圧された容器をキャップを取って開封した場合には、内部の減圧状態によって凹んでいたキャップ上面の薄肉部が開封後に減圧状態が解除されて凸状に膨らみ、開封されたことが容易に目視できるものである。
また、このような容器本体21にキャップ22が冠着された容器24に、バージン性や汚れ防止或いは装飾、宣伝等の表示のために熱収縮性を有するフィルムからなる熱収縮ラベル23を装着した図７に示すような熱収縮ラベル装着容器20が使用されている。
【０００４】
【発明が解決しようとする課題】
上記のような内部が減圧された熱収縮ラベル装着容器20は、例えば箱詰め作業や輸送中等に容器同志がぶつかってヒビ25が入った場合には、容器24内が減圧されているため、ヒビ25の部分から容器24内部より圧力が高い外部の空気が減圧状態の容器24内部へ急激に侵入し、この空気の侵入の勢いによって本来ならば容器本体21の形状が崩れ、容器本体21が壊れたことが容易に目視できる。
【０００５】
しかし、減圧した容器24に熱収縮ラベル23が装着されている場合には、熱収縮ラベル23が容器本体21の外面に密着されているため、容器本体21にヒビ25が入った場合にも、熱収縮ラベル23と容器本体21の間に空気が入ることがなく、ヒビ25から急激に容器24内部に空気が入ることがなく容器本体21の形状が崩れることがない。
【０００６】
その結果、熱収縮ラベル23の外側からは容器本体21にヒビ25等が入っていることがわからず、消費者等の手に不良品がわたってしまうおそれがあり、このような場合に、使用時に熱収縮ラベル装着容器20を開封して始めて容器の破損に気づくこともあり危険であるという問題があった。
【０００７】
本発明は、このような問題点を解決するためになされたもので、容器本体にヒビ等の破損が生じた場合にも、容易に熱収縮ラベルの外側から容器の破損が判別できる熱収縮ラベル装着容器を提供することを課題とする。
【０００８】
【課題を解決するための手段】
本発明が、このような課題を解決するためになされた手段としては、ガラスから形成された容器2 の外面に、文字や絵柄が印刷された熱収縮フィルムからなり且つ収縮率の高い方向が容器2 の周方向である熱収縮ラベル4 が装着され、且つ容器2 内部を減圧状態にして密封されている熱収縮ラベル装着容器において、熱収縮ラベル4 の少なくとも前記容器2 の最大径部分付近の外面に位置する部分に、線状の切れ目の線の方向が容器2 の周方向と一致するミシン目6 が多数設けられたことにある。
【０００９】
【作用】
すなわち、上記のように、容器２に装着された熱収縮ラベル４のうち、少なくとも容器４の最大径部分付近の外面に位置する部分に多数の切り込み６が形成さているため、容器２が最も他の物とぶつかり易い部分に切り込み６が設けられていることにより、この部分にヒビ等が入った場合に切り込み６から空気が容器２と熱収縮ラベル４間に入り、ヒビから容器2 内部の減圧状態を解除しようとして急激に容器2 内部に空気が侵入する。
この空気の侵入と共に、容器2 が内側に崩れ、熱収縮ラベル4 の外側からでも容易に容器の破損を見分けることができる。
【００１０】
また、容器２の周方向のミシン目であるので、容器２の周方向に収縮する熱収縮ラベル４を熱収縮させた場合に、該収縮によって熱収縮ラベル４がミシン目６から大きく開口することがなく、ラベルの外観をほとんど損なうことがない。
【００１１】
【実施例】
以下、本発明の実施例について、図面に従って説明する。
【００１２】
図１及び図２において、１は容器２の上面から下面に亘って熱収縮ラベル４が装着されたラベル装着容器である。
【００１３】
容器２は、ガラス製の容器本体３の上部に金属製のキャップ８が冠着され、容器本体３内部には食品等の被充填物９が充填され、且つ減圧状態にして密封されている。
【００１４】
熱収縮ラベル４は、熱収縮性を有するポリスチレン等の厚さ３０乃至２００μｍの熱収縮フィルムから形成され、内面又は外面には宣伝広告等用の文字や絵柄が印刷されている。
【００１５】
熱収縮ラベル４の容器２に装着時に容器本体３の最大径の部分にあたる位置には、図１に示すように周方向と等しい方向にミシン目６が多数且つ均一に刻設されている。
このような熱収縮ラベル４は、周方向に収縮するように筒状に形成され、内部を減圧状態に密封された容器２のキャップ８から容器本体３の底部に亘って外嵌され、熱処理することによって密着装着されている。
【００１６】
この時、前記ミシン目６は容器の周方向に刻設されているため、該方向に熱収縮ラベル４が収縮しても、ミシン目６が開口して熱収縮ラベル４の印刷等に影響を与えることがない。
【００１７】
次に、このような構成からなるラベル装着容器１にヒビが入る等の損傷を受けた場合について説明する。
【００１８】
ラベル装着容器１を輸送時や店頭に陳列する際等に、他の容器等にぶつけてラベル装着容器１の容器本体３、特に他のものと接触し易い容器本体３の径の大きい部分に、図３に示すようなヒビ10が入ることがある。
【００１９】
容器２内は減圧状態で密封されているため、ヒビ10等のわずかな隙間であっても、容器２内部よりも高圧状態である外部の空気が容器２内部に侵入しようとする。
通常、ミシン目６のない熱収縮ラベル４が密着装着されていた場合には熱収縮ラベル４によって侵入しようとする外部の空気の流れを遮断してしまい容器本体３が崩れることはない。
【００２０】
しかし、前記のように熱収縮ラベル４にミシン目６が刻設されているため、該ミシン目６から熱収縮ラベル４と容器本体３の間に空気が入り、該空気が減圧状態の容器２内部に急激に侵入しようとして、図４に示すように容器本体３は容器２内側へ崩れ、外観からも容器本体３の損傷が一目で判別できる。
【００２１】
尚、上記実施例では、熱収縮ラベル４に周方向のミシン目６を刻設したが、例えば図５に示すような針孔状の小孔を穿設してもよく、切れ目の形状は限定されるものではない。
但し、ミシン目等のような線状の切れ目を形成する場合には、熱収縮フィルム4 の大きく収縮する方向と直交するような線の方向にすると、収縮によって切れ目から大きく開口してしまい、熱収縮フィルムの印刷に影響があり、外観も悪くなるため、大きく収縮する方向と一致するような方向のミシン目等、熱収縮時にラベルの外観上に影響しないような切れ目を形成することが必要である。
【００２２】
また、上記実施例では、熱収縮フィルム４が容器２のキャップ８から容器本体３の底部まで容器本体３全体に亘って被覆されたラベル装着容器１を形成したが、例えば容器本体３の側周面にのみ熱収縮ラベル４が装着されていてもよい。
【００２３】
また、上記実施例では、熱収縮ラベル４のうち、容器２の最も径の大きい部分にのみミシン目６を形成したが、この位置に以外にも、例えば、図６に示すように容器本体３の上部にあたる位置にも開封用の２条のミシン目11を形成してもよく、さらには熱収縮ラベル４全体に均一に切り込みを設けてもよい。
【００２４】
但し、ヒビ10等の損傷を受けた位置近辺に切り込み６がないと、ヒビ10から容器２内部に空気が侵入できないため、特に他の物とぶつかりやすい容器２の径の最も大きい部分に装着された熱収縮ラベル４には、必ず切り込み６が設けられていることが必要である。
【００２５】
さらに、上記実施例ではガラス製の容器本体３に金属製のキャップ８が冠着された容器２を使用したが、容器２のキャップ８としてはこれに限定されるものではなくガラス製の容器本体にガラスや合成樹脂等の蓋を有する容器でもよい。
【００２６】
また、熱収縮ラベル４の材質もポリスチレンに限定されるものではなく、この他ポリプロピレン、ポリ塩化ビニル、ポリエチレンテレフタレート等の通常の熱収縮フィルムとして使用されているものであれば適宜使用できる。
しかし、熱収縮ラベル４の材質がポリスチレンの場合には、縦ひけが少なく、収縮時にラベルの周方向に設けた切り込み６が非常に開口しにくく特に好ましい。
【００２７】
さらに、容器本体３や熱収縮ラベル４に宣伝広告用の文字絵柄等の印刷を設けることは任意である。
【００２８】
【発明の効果】
叙上のように、本発明のラベル装着容器は、内部を減圧状態に密封された容器本体にヒビ等が入った場合には、熱収縮ラベルが密着状態で装着されていても容器の形状が直ちにくずれ、熱収縮ラベルの外側からも容易に損傷を受けた容器が判別でき、このような容器を商品として流通させることを防止できる。
【図面の簡単な説明】
【図１】本発明に係る一実施例の熱収縮ラベル包装容器の正面図。
【図２】図１のＡ−Ａ線断面図。
【図３】熱収縮ラベル装着容器が損傷した場合を示す要部拡大断面図。
【図４】熱収縮ラベル装着容器の形状が崩れた場合を示す要部拡大断面図。
【図５】他実施例の熱収縮ラベル包装容器の正面図。
【図６】他実施例の熱収縮ラベル包装容器の正面図。
【図７】従来の熱収縮ラベル装着容器が損傷を受けた場合の断面図。
【符号の説明】
１  熱収縮ラベル装着容器
２  容器
３  容器本体
４  熱収縮ラベル
６  ミシン目
【図１】
0003657304.tif 000002
【図２】
0003657304.tif 000003
【図３】
0003657304.tif 000004
【図４】
0003657304.tif 000005
【図５】
0003657304.tif 000006
【図６】
0003657304.tif 000007
【図７】
0003657304.tif 000008